(57)【要約】【課題】WLANのOBSSにおけるビームフォーミング機構を可能にするための実施形態が提供される。【解決手段】一実施形態では、OBSSの第1のAPが、OBSSのための協調ビームフォーミングに参加することを決定する。OBSSは、複数のAPおよびそのAPと関連する複数のSTAを備える。したがって、APは、第1のAPのIDおよび第1のAPと関連する各STAのIDを示す協調ビームフォーミング(CB)告知メッセージを定期的に送信する。OBSSの第2のAPが、第1のAPからメッセージを受信すると、第2のAPは、第1のAPのIDおよび第1のAPと関連する各STAのIDをCB表のエントリ内に維持する。第2のAPが、メッセージを受信することを停止すると、第2のAPは、CB表から第1のAPおよびその関連STAのIDのエントリを除去する。【選択図】図１
2019115068.tif 000002
【特許請求の範囲】
【請求項１】
無線ローカルエリアネットワーク(WLAN)における重複基本サービスセット(OBSS)のための協調ビームフォーミングを可能にするアクセスポイント(AP)による方法であって、
OBSSのための協調ビームフォーミングに参加することを決定するステップであって、前記OBSSは、複数のAPおよび前記APと関連する複数の局(STA)を備える、ステップと、
前記APの識別子(ID)および前記APと関連する各局(STA)のIDを示す協調ビームフォーミング(CB)告知メッセージを送信するステップと、
を含む、方法。
【請求項２】
前記APの前記IDは、前記APの媒体アクセス制御(MAC)アドレスであり、前記APと関連する各STAの前記IDは、前記STAのMACアドレスである、請求項1に記載の方法。
【請求項３】
前記CB告知メッセージは、前記APの前記MACアドレスおよび前記APと関連する各STAの前記MACアドレスを備えるフレームである、請求項2に記載の方法。
【請求項４】
前記CB告知メッセージの送信を所定の周期で定期的に繰り返すステップをさらに含む、請求項1に記載の方法。
【請求項５】
前記協調ビームフォーミングへの参加を終わらせることを決定するステップと、
前記CB告知メッセージの前記送信を停止するステップと、
をさらに含む、請求項4に記載の方法。
【請求項６】
第2のCB告知メッセージを前記APのうち第2のAPから受信するステップをさらに含み、前記第2のCB告知メッセージは、前記第2のAPのIDおよび前記第2のAPと関連する各第2の局(STA)のIDを示す、請求項1に記載の方法。
【請求項７】
前記第2のAPの前記IDおよび前記第2のAPと関連する各第2のSTAの前記IDをCB表のエントリ内に維持するステップをさらに含み、前記エントリは、各第2のSTAを前記第2のAPと関連付ける、請求項6に記載の方法。
【請求項８】
無線ローカルエリアネットワーク(WLAN)における重複基本サービスセット(OBSS)のための協調ビームフォーミングを可能にするアクセスポイント(AP)であって、
プロセッサと、
前記プロセッサが実行するためのプログラミングを記憶した非一時的コンピュータ可読記憶媒体と、
を備え、前記プログラミングは、
OBSSのための協調ビームフォーミングに参加することを決定するための命令であって、前記OBSSは、複数のAPおよび前記APと関連する複数の局(STA)を備える、命令と、
前記APの識別子(ID)および前記APと関連する各局(STA)のIDを示す協調ビームフォーミング(CB)告知メッセージを送信するための命令と、
を含む、アクセスポイント(AP)。
【請求項９】
前記CB告知メッセージは、前記APの媒体アクセス制御(MAC)アドレスおよび前記APと関連する各STAのMACアドレスを備えるフレームである、請求項8に記載のAP。
【請求項１０】
前記プログラミングは、
前記CB告知メッセージの送信を所定の周期で定期的に繰り返すための命令と、
前記協調ビームフォーミングへの参加を終わらせることを決定すると、前記CB告知メッセージの前記送信を停止するための命令と、
をさらに含む、請求項8に記載のAP。
【請求項１１】
前記プログラミングは、
第2のCB告知メッセージを前記APのうち第2のAPから受信するための命令であって、前記第2のCB告知メッセージは、前記第2のAPのIDおよび前記第2のAPと関連する各第2のSTAのIDを示す、命令と、
前記第2のAPの前記IDおよび前記第2のAPと関連する各第2のSTAの前記IDをCB表のエントリ内に維持するための命令であって、前記エントリは、各第2のSTAを前記第2のAPと関連付ける、命令と、
をさらに含む、請求項8に記載のAP。
【請求項１２】
無線ローカルエリアネットワーク(WLAN)における重複基本サービスセット(OBSS)のための協調ビームフォーミングを可能にするアクセスポイント(AP)による方法であって、
前記APにおいて、CB告知メッセージを第2のAPから受信するステップであって、前記CB告知メッセージは、前記第2のAPの識別子(ID)および前記第2のAPと関連する各STAのIDを示す、ステップと、
前記第2のAPの前記IDおよび前記第2のAPと関連する各STAの前記IDをCB表のエントリ内に維持するステップであって、前記エントリは、各STAを前記第2のAPと関連付ける、ステップと、
を含む、方法。
【請求項１３】
前記第2のAPの前記IDは、前記第2のAPの媒体アクセス制御(MAC)アドレスであり、前記第2のAPと関連する各STAの前記IDは、前記STAのMACアドレスである、請求項12に記載の方法。
【請求項１４】
前記CB告知メッセージは、前記第2のAPの前記MACアドレスおよび前記第2のAPと関連する各STAの前記MACアドレスを備えるフレームである、請求項13に記載の方法。
【請求項１５】
前記CB告知メッセージを所定の周期で定期的に受信するステップと、
前記CB告知メッセージを受信するために止まると、前記CB表から前記第2のAPの前記IDおよび前記第2のAPと関連する各STAの前記IDの前記エントリを除去するステップと、
をさらに含む、請求項12に記載の方法。
【請求項１６】
前記APのIDおよび前記APと関連する各第2のSTAのIDを示す第2のCB告知メッセージを送信するステップをさらに含む、請求項12に記載の方法。
【請求項１７】
前記第2のCB告知メッセージの送信を所定の周期で定期的に繰り返すステップと、
前記協調ビームフォーミングへの参加を終わらせることを決定すると、前記第2のCB告知の前記送信を停止するステップと、
をさらに含む、請求項16に記載の方法。
【請求項１８】
無線ローカルエリアネットワーク(WLAN)における重複基本サービスセット(OBSS)のための協調ビームフォーミングを可能にするアクセスポイント(AP)であって、
プロセッサと、
前記プロセッサが実行するためのプログラミングを記憶した非一時的コンピュータ可読記憶媒体と、
を備え、前記プログラミングは、
CB告知メッセージを第2のAPから受信するための命令であって、前記CB告知メッセージは、前記第2のAPの媒体アクセス制御(MAC)アドレスおよび前記第2のAPと関連する各STAのMACアドレスを示す、命令と、
前記第2のAPの前記MACアドレスおよび前記第2のAPと関連する各STAの前記MACアドレスをCB表のエントリ内に維持するための命令であって、前記エントリは、各STAを前記第2のAPと関連付ける、命令と、
を含む、アクセスポイント(AP)。
【請求項１９】
前記CB告知メッセージは、前記第2のAPの前記MACアドレスおよび前記第2のAPと関連する各STAの前記MACアドレスを備えるパブリックアクションフレームである、請求項18に記載のAP。
【請求項２０】
前記プログラミングは、
前記CB告知メッセージを所定の周期で定期的に受信するための命令と、
前記CB告知メッセージを受信するために止まると、前記CB表から前記第2のAPの前記MACアドレスおよび前記第2のAPと関連する各STAの前記MACアドレスの前記エントリを除去するための命令と、
をさらに含む、請求項18に記載のAP。
【発明の詳細な説明】
【技術分野】
【０００１】
本出願は、「System and Methods for Enabling Coordinated Beamforming in Overlapping Basic Service Set in WLAN」という名称の2014年7月24日に出願された米国非仮出願第14/340,098号の利益を主張するものであり、その出願は、これによって本明細書に参照により組み込まれる。
【０００２】
本発明は、ネットワーク通信に関し、特定の実施形態では、無線ローカルエリアネットワーク(WLAN)における重複基本サービスセット内での協調ビームフォーミングを可能にするシステムおよび方法に関する。
【背景技術】
【０００３】
無線ローカルエリアネットワーク(WLAN)は一般に、無認可のスペクトル帯域内で動作する。これらの帯域内での動作のための規則は、競合するデバイスに、利用可能なリソースを共有させ、媒体がビジーであると感じられるときは各自の意図する送信を延期することを強いる。典型的には、WLANは、直行周波数分割多重化(OFDM)送信フォーマットを使用し、その場合にはすべての送信リソースが単一デバイスに割り当てられる。無作為割り当ては一般に、キャリア検知多重アクセス/衝突回避方式(CSMA/CA)を使用して達成される。CSMA/CAを用いると、デバイスは、媒体へのアクセスを勝ち取り、自機のデータを所定の期間に至るまで送信し、次いで他のデバイスが送信を競合するために媒体を明け渡す。協調ビームフォーミングは、典型的にはセル方式通信システムにおいて使用される機構であり、それによって、互いの干渉領域にあるいくつかの無線デバイスは、各自の情報を異なる宛先に同時に送信することができる。同時送信は、干渉を解消するかまたは許容レベルまで低減するためにビームフォーミングを使用することによって可能となる。重複基本サービスセットを含むWLANシナリオにおけるビームフォーミングを効果的に実施するためのシステムおよび方法の必要性がある。
【発明の概要】
【課題を解決するための手段】
【０００４】
一実施形態によると、無線ローカルエリアネットワーク(WLAN)における重複基本サービスセット(OBSS)のための協調ビームフォーミングを可能にするアクセスポイント(AP)による方法は、OBSSのための協調ビームフォーミングに参加することを決定するステップを含む。OBSSは、複数のAPおよびそのAPと関連する複数の局(STA)を備える。本方法はさらに、APの識別子(ID)およびAPと関連する各局(STA)のIDを示す協調ビームフォーミング(CB)告知メッセージを送信するステップを含む。
【０００５】
別の実施形態によると、WLANにおけるOBSSのためのCBを可能にするAPは、プロセッサと、プロセッサが実行するためのプログラミングを記憶した非一時的コンピュータ可読記憶媒体とを備える。プログラミングは、OBSSのための協調ビームフォーミングに参加することを決定するための命令を含む。OBSSは、複数のAPおよびそのAPと関連する複数の局(STA)を備える。プログラミングは、APのIDおよびAPと関連する各STAのIDを示すCB告知メッセージを送信するための命令をさらに含む。
【０００６】
別の実施形態によると、WLANにおけるOBSSのためのCBを可能にするAPによる方法は、APにおいて、CB告知メッセージを第2のAPから受信するステップを含む。CB告知メッセージは、第2のAPのIDおよび第2のAPと関連する各STAのIDを示す。本方法はさらに、第2のAPのIDおよび第2のAPと関連する各SATのIDをCB表のエントリ内に維持するステップを含む。エントリは、各STAを第2のAPと関連付ける。
【０００７】
さらに別の実施形態によると、WLANにおけるOBSSのためのCBを可能にするAPは、プロセッサと、プロセッサが実行するためのプログラミングを記憶した非一時的コンピュータ可読記憶媒体とを備える。プログラミングは、CB告知メッセージを第2のAPから受信するための命令を含み、CB告知メッセージは、第2のAPの媒体アクセス制御(MAC)アドレスおよび第2のAPと関連する各STAのMACアドレスを示す。プログラミングは、第2のAPのMACアドレスおよび第2のAPと関連する各STAのMACアドレスをCB表のエントリ内に維持するための命令をさらに含む。エントリは、各STAを第2のAPと関連付ける。
【０００８】
前述では、下記の発明の詳細な説明がより良く理解され得るように、本発明の実施形態の特徴をやや広く概説した。本発明の実施形態の付加的特徴および利点は、以下で述べられ、それらは本発明のクレームの主題を形成する。開示される構想および具体的実施形態は、本発明の同じ目的を実行するために他の構造またはプロセスを変更または設計するための基礎として容易に利用されてもよいことが、当業者によって認識されるはずである。そのような等価構成物は、添付のクレームにおいて説明されるような本発明の趣旨および範囲から逸脱しないこともまた、当業者によって気付かれるはずである。
【０００９】
本発明、およびその利点のより完全な理解のために、次いで、付随する図面と併せて下記の説明を参照する。
【図面の簡単な説明】
【００１０】
【図１】重複基本サービスセット(OBSS)のシナリオを例示する図である。
【図２】協調ビームフォーミング告知メッセージの実施形態を例示する図である。
【図３】協調ビームフォーミングについての告知メッセージの定期的送信のための実施形態手順を例示する流れ図である。
【図４】OBSS内の局およびAPの識別を交換するための実施形態方法を例示する図である。
【図５】様々な実施形態を実施するために使用できる処理システムの図である。
【発明を実施するための形態】
【００１１】
異なる図において対応する数字および記号は一般的に、別途示されない限り、対応する部分を指す。図は、実施形態の関連態様を明確に例示するために描かれ、必ずしも一定の縮尺で描かれていない。
【００１２】
現在好ましい実施形態の作成および使用が、以下で詳細に論じられる。しかしながら、本発明は、いろいろな特定の文脈において具体化されてもよい多くの適用可能な発明概念を提供することを認識すべきである。論じられる具体的実施形態は、本発明を作成し、使用するための具体的方法を単に説明するものであり、本発明の範囲を制限することはない。
【００１３】
図1は、1つのWLANに対応する複数の基本サービスセット(BSS)の例を示す。別法として、そのセットは、複数のWLANに対応してもよい。BSSは、対応するサービスセットID(図においてSSID1からSSID4のラベルが付けられている)によって識別される。各BSSは、対応するアクセスポイント(AP)およびAPと関連する1つまたは複数の局(STA)を含む。APは、STAがWLANにアクセスし、それと通信することを可能にする、無線モデムまたはルータなどの任意の通信デバイスである。STAは、ユーザまたは加入者がAPと、したがってWLANと通信することを可能にする任意のユーザ通信デバイスである。STAの例は、スマートフォン、タブレットコンピュータ、ラップトップコンピュータ、デスクトップコンピュータ、センサデバイス(例えば、スマートウォッチ)、およびWLAN(例えばWiFi)能力を有する他のモバイルまたは通信デバイスを含む。
【００１４】
BSSは、限定された地理的エリア内で互いに比較的近くてもよい。例えば、BSSは、アパート内の異なる部屋に属してもよく、または、商業地域内の異なる施設に属してもよい。そのようなセットは、本明細書では重複BSS(OBSS)と呼ばれる。BSS同士が近いことに起因して、異なるセット内のデバイスからの信号が、通信の質に影響を及ぼす著しい干渉を経験することもある。
【００１５】
本明細書で開示されるのは、複数のBSSが比較的近くにある場合などの干渉問題を克服するためにWLANシナリオにおいてビームフォーミング機構を可能にするためのシステムおよび方法の実施形態である。ビームフォーミングを使用すると、異なるセット内での通信は、異なるセットに対応する信号の干渉を低減するように調整することができる(例えば、ビーム方向、配向(orientation)、およびパラメータを調節することを介して)。ビームフォーミング機構は、セル方式通信システムにおいて使用されるビームフォーミング機構に似ていてもよい。実施形態は、WLANの複数のAPが各自の関連するSTAのサブセットに同時送信する能力をもつ、ダウンリンク協調ビームフォーミングに対処する。
【００１６】
典型的なWLANのOBSS環境では、単一のデバイスが、キャリア検知多重アクセス(CSMA)を使用していずれかの時点で送信することを許される。そのため、すべての他のデバイスは、干渉を避けるために各自の送信を延期する。この挙動は、エリアスループットを大幅に制限する。エリアスループットは、デバイス間の干渉を解消するかまたは低減するために協調ビームフォーミングを使用し、複数のデバイスが同じ時間に同時に送信することを可能にすることによって改善することができる。
【００１７】
本明細書の実施形態は、いくつかの隣接APからの同時送信を許すためのビームフォーミングを可能にし、各APは、各自に関連するSTAの1つまたは複数に送信することができる。これは本明細書では、ダウンリンク(DL)協調ビームフォーミングと呼ばれる。上で述べられたように、OBSSの場合、各BSSは、異なるエンティティ、例えば異なるAPまたはアクセスコントローラ(AC)によって管理される。STAは、他のセットから独立して各自の対応するAPに関連付けをするので、隣接APは、別のセット内のどのSTAがどのAPと関連付けられているかを知らない。しかしながら、ビームフォーミングは、すべてのかかわっているデバイスの間でのチャンネル状態情報の交換を必要とする。この問題に対処するために、実施形態は、この情報を参加デバイスに伝達するためのプロトコルを含む。
【００１８】
一実施形態では、OBSSシナリオにおいて協調ビームフォーミングを支援する準備ができておりかつその能力があるAPは、関連する能力情報を他の隣接APと交換する。APは、メッセージをすべての隣接APにブロードキャストすることによってその参加およびその能力を告知する。図2は、この目的のために使用される協調ビームフォーミング告知メッセージの一実施形態を示す。例えば、メッセージは、IEEE802.11によるパブリックアクションフレーム(Public Action frame)に基づいてもよく、そのためカテゴリおよびパブリックフィールドを含む。付加的フィールドが、AP情報を告知するためにメッセージに追加される。告知フィールドは、発信(告知)APのための能力フィールドおよび発信APと関連するSTAの媒体アクセス制御(MAC)アドレスを示す1つまたは複数のフィールドを含むことができる。メッセージはまた、例えばメッセージのAP能力フィールドまたは別のフィールド内に発信APのMACアドレスも含むことができる。能力フィールドは、ビームフォーミング手順において考慮されるアンテナの数、空間ストリームの数、および/または他の能力情報などのAP能力情報を示す。他の実施形態では、告知APおよび関連STAの識別は、インターネットプロトコルなどの、他の適切なIDまたはネットワークアドレスによって示されてもよい。
【００１９】
ビームフォーミング手順を実施するためには、参加OBSS内のすべてのSTAからCSI情報を取得する必要がある。CSI情報は、干渉低減のために参加APにおいて送信ビームを構成するための計算プロセスに必要とされる。上記の告知メッセージを介して、各APに他のAPと関連するSTAの識別(MACアドレス)を提供することで、そのAPと他のAPと関連するSTAとの間でのCSI情報の交換が容易になる。この知識を用いると、APは、関連のない各STA(異なるBSS内の)を識別し、CSIをそのSTAに要求することができる。別の実施形態では、APは、異なるセット内のすべてのSTAによって送信されるフレームを監視する。APは次いで、傍受されたフレームから、送信STAのMACアドレスおよび関連APのMACアドレスを引き出す。
【００２０】
各参加APは、STAの識別、およびSTAとそれらSTAのAPとの関連付けを協調ビームフォーミング(CB)表に維持することができる。その表は、各参加APの識別およびそれと関連するSTAの識別を含む。識別は、デバイスのMACアドレスによって表されてもよい。参加APによって維持されるCB表は、情報が最新であることを保証するために定期的にリフレッシュする必要がある。図3は、協調ビームフォーミングについての告知メッセージを定期的に送信するための実施形態手順を示す。表をリフレッシュするために、参加APの各々は、告知メッセージを定期的に、例えば所定の期間Tごとに送る。値Tは、ビーコンフレームの継続時間のある適切な倍数として設定されてもよい。もし参加APが、CB送信への参加を終わらせることを決定するならば、その時APは、告知メッセージの定期的送信を停止する。もし参加APの中で任意のAPが、告知メッセージの送信を停止するならば、そのAPと関連するエントリは、他の参加APにおけるCB表から削除される。例えば、第1のAPが、告知メッセージを第2のAPから受信することを停止するとき、第1のAPは、そのCB表から第2のAPと関連するエントリを削除する。
【００２１】
図4は、OBSS内の局およびAPの識別を交換するための実施形態方法400を示す。ステップ405において、APは、1つまたは複数の他のAPとともにOBSSのための協調ビームフォーミングに参加することを決定する。OBSSは、APおよびそのAPと関連する複数のSTAを備える。ステップ410において、各参加AP(BSSに属する)は、各自の識別およびすべての関連AP(同じBSS内の)の識別を示す告知メッセージを定期的に送信する(例えばブロードキャストする)。識別は、デバイスのMACアドレス、デバイスのインターネットプロトコル(IP)アドレス、デバイスの他の固有のID、またはそれらの組み合わせであってもよい。ステップ420において、APは、他のAPによってブロードキャストされた告知メッセージを(定期的に)検出する。ステップ430において、APは、検出された告知メッセージ内のAPおよび関連STAの識別を用いて自身のCB表を更新する。
【００２２】
図5は、様々な実施形態を実施するために使用できる処理システム500のブロック図である。例えば、処理システム500は、WLANにおけるAP、STA、またはアクセスコントローラ(AC)の一部とすることができる。特定のデバイスは、図示されるコンポーネントのすべて、またはコンポーネントのサブセットだけを利用してもよく、統合のレベルは、デバイスによって異なってもよい。さらに、デバイスは、複数の処理ユニット、プロセッサ、メモリ、送信機、受信機など、コンポーネントの複数のインスタンスを含有してもよい。処理システム500は、スピーカ、マイクロホン、マウス、タッチスクリーン、キーパッド、キーボード、プリンタ、ディスプレイ、および同様のものなどの、1つまたは複数の入力/出力デバイスを装備した処理ユニット501を備えてもよい。処理ユニット501は、バスに接続された中央処理ユニット(CPU)510、メモリ520、大容量記憶デバイス530、ビデオアダプタ540、およびI/Oインターフェース560を含んでもよい。バスは、メモリバスもしくはメモリコントローラ、周辺機器用バス、ビデオバス、または同様のものを含む任意の種類のいくつかのバスアーキテクチャの1つまたは複数であってもよい。
【００２３】
CPU510は、任意の種類の電子データプロセッサを備えてもよい。メモリ520は、スタティックランダムアクセスメモリ(SRAM)、ダイナミックランダムアクセスメモリ(DRAM)、同期型DRAM(SDRAM)、読み出し専用メモリ(ROM)、それらの組み合わせ、または同様のものなどの、任意の種類のシステムメモリを備えてもよい。一実施形態では、メモリ520は、起動時に使用するためのROM、ならびにプログラムおよびプログラムを実行している間に使用するためのデータ記憶のためのDRAMを含んでもよい。実施形態では、メモリ520は、非一時的である。大容量記憶デバイス530は、データ、プログラム、および他の情報を記憶し、バスを介してデータ、プログラム、および他の情報をアクセス可能にするように構成される任意の種類の記憶デバイスを備えてもよい。大容量記憶デバイス530は、例えばソリッドステートドライブ、ハードディスクドライブ、磁気ディスクドライブ、光ディスクドライブ、または同様のものの1つまたは複数を備えてもよい。
【００２４】
ビデオアダプタ540およびI/Oインターフェース560は、外部入力および出力デバイスを処理ユニットに結合するためのインターフェースを提供する。図示されるように、入力および出力デバイスの例は、ビデオアダプタ540に結合されたディスプレイ590およびI/Oインターフェース560に結合されたマウス/キーボード/プリンタ570の任意の組み合わせを含む。他のデバイスが処理ユニット501に結合されてもよく、追加のまたはより少ないインターフェースカードが利用されてもよい。例えば、シリアルインターフェースカード(図示されず)が、プリンタのためのシリアルインターフェースを提供するために使用されてもよい。
【００２５】
処理ユニット501はまた、1つまたは複数のネットワークインターフェース550も含み、それらは、ノードまたは1つもしくは複数のネットワーク580にアクセスするために、イーサネット（登録商標）ケーブルもしくは同様のものなどの有線リンクおよび/または無線リンクを備えてもよい。ネットワークインターフェース550は、処理ユニット501がネットワーク580を介して遠隔ユニットと通信することを可能にする。例えば、ネットワークインターフェース550は、1つまたは複数の送信機/送信アンテナおよび1つまたは複数の受信機/受信アンテナを介して無線通信を提供してもよい。一実施形態では、処理ユニット501は、データ処理のため、および他の処理ユニット、インターネット、遠隔記憶設備、または同様のものなどの遠隔デバイスとの通信のためにローカルエリアネットワークまたはワイドエリアネットワークに結合される。
【００２６】
いくつかの実施形態が、本開示において提供されたが、開示されたシステムおよび方法は、本開示の趣旨または範囲から逸脱することなく多くの他の特定の形で具体化されてもよいことを理解すべきである。本例は、制限的でなく例示的と考えるべきであり、その意図は、本明細書で与えられる詳細に限定すべきでない。例えば、様々な要素またはコンポーネントは、別のシステムに組み合わされもしくは統合されてもよく、またはある特徴は、省略されてもよく、もしくは実施されなくてもよい。
【００２７】
加えて、様々な実施形態において離散的または個別的として述べられ、例示された技法、システム、サブシステム、および方法は、本開示の範囲から逸脱することなく他のシステム、モジュール、技法、または方法と組み合わされまたは統合されてもよい。互いに結合されもしくは直接結合されまたは通信するとして図示されまたは論じられた他の項目は、電気的に、機械的に、または別の方法であろうと、あるインターフェース、デバイス、または中間コンポーネントを通じて間接的に結合されまたは通信してもよい。変形、置換、および代替の他の例は、当業者によって確認可能であり、本明細書で開示される趣旨および範囲から逸脱することなくなされることもあり得る。
【符号の説明】
【００２８】
400  局およびAPの識別を交換するための方法
500  処理システム
501  処理ユニット
510  中央処理ユニット(CPU)
520  メモリ
530  大容量記憶デバイス
540  ビデオアダプタ
550  ネットワークインターフェース
560  I/Oインターフェース
570  マウス/キーボード/プリンタ
580  ネットワーク
590  ディスプレイ
【図１】
2019115068.tif 000003
【図２】
2019115068.tif 000004
【図３】
2019115068.tif 000005
【図４】
2019115068.tif 000006
【図５】
2019115068.tif 000007
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
無線ローカルエリアネットワーク(WLAN)における重複基本サービスセット(OBSS)のための協調ビームフォーミングを可能にするアクセスポイント(AP)であって、
プロセッサと、
前記プロセッサが実行するためのプログラミングを記憶した非一時的コンピュータ可読記憶媒体と、
を備え、前記プログラミングは、
OBSSのための協調ビームフォーミングに参加することを決定するための命令であって、前記OBSSは、複数のAPおよび前記APと関連する複数の局(STA)を備える、命令と、
前記APの識別子(ID)および前記APと関連する各局(STA)のIDを示す協調ビームフォーミング(CB)告知メッセージを送信するための命令と、
第2のAPからCB告知メッセージを受信するための命令であって、前記CB告知メッセージは前記第2のAPの媒体アクセス制御(MAC)アドレスおよび前記第2のAPと関連する各STAのMACアドレスを示す、命令と、
前記第2のAPの前記MACアドレスおよび前記第2のAPと関連する各STAの前記MACアドレスをCB表のエントリ内に維持するための命令であって、前記エントリは、各STAを前記第2のAPと関連付ける、命令と
を含む、アクセスポイント(AP)。
【請求項２】
前記APの前記IDは、前記APの媒体アクセス制御(MAC)アドレスであり、前記APと関連する各STAの前記IDは、前記STAのMACアドレスである、請求項1に記載のAP。
【請求項３】
送信された前記CB告知メッセージは、前記APの前記MACアドレスおよび前記APと関連する各STAの前記MACアドレスを備えるフレームである、請求項1または2に記載のAP。
【請求項４】
前記CB告知メッセージの送信を所定の周期で定期的に繰り返すステップをさらに含む、請求項1乃至3のいずれか1項に記載のAP。
【請求項５】
前記プログラミングは、
前記協調ビームフォーミングへの参加を終わらせることを決定するための命令と、
前記CB告知メッセージの前記送信を停止するための命令と、
をさらに含む、請求項1乃至4のいずれか1項に記載のAP。
【請求項６】
無線ローカルエリアネットワーク(WLAN)における重複基本サービスセット(OBSS)のための協調ビームフォーミングを可能にするアクセスポイント(AP)による方法であって、
OBSSのための協調ビームフォーミングに参加することを決定するステップであって、前記OBSSは、複数のAPおよび前記APと関連する複数の局(STA)を備える、ステップと、
前記APの識別子(ID)および前記APと関連する各局(STA)のIDを示す協調ビームフォーミング(CB)告知メッセージを送信するステップと、
前記APにおいて、CB告知メッセージを第2のAPから受信するステップであって、前記CB告知メッセージは、前記第2のAPの識別子(ID)および前記第2のAPと関連する各STAのIDを示す、ステップと、
前記第2のAPの前記IDおよび前記第2のAPと関連する各STAの前記IDをCB表のエントリ内に維持するステップであって、前記エントリは、各STAを前記第2のAPと関連付ける、ステップと、
を含む、方法。
【請求項７】
前記APの前記IDは、前記APの媒体アクセス制御(MAC)アドレスであり、前記APと関連する各STAの前記IDは、前記STAのMACアドレスである、請求項6に記載の方法。
【請求項８】
前記CB告知メッセージは、前記APの前記MACアドレスおよび前記APと関連する各STAの前記MACアドレスを備えるフレームである、請求項6または7に記載の方法。
【請求項９】
前記CB告知メッセージの送信を所定の周期で定期的に繰り返すステップをさらに含む、請求項6乃至8のいずれか1項に記載の方法。
【請求項１０】
前記協調ビームフォーミングへの参加を終わらせることを決定するステップと、
前記CB告知メッセージの前記送信を停止するステップと、
をさらに含む、請求項6乃至9のいずれか1項に記載の方法。
【外国語明細書】
2019115068000001.pdf